(57)【要約】【課題】１対のローラの内、一方のローラを容易に取り出せるようにする。【解決手段】自動原稿搬送部は、互いに接触してシートを搬送するリタードローラ６及び分離搬送ローラと、シートを案内する原稿案内パスと、リタードローラ６を保持したリタードローラホルダ１９と、リタードローラホルダ１９を支持して原稿案内パスの下面を構成する搬送ガイド２１と、リタードローラホルダ１９と搬送ガイド２１との間に設けたばねとを備え、原稿案内パスを開いたとき、ばねがリタードローラホルダ１９を搬送ガイド２１より上方に突出させて、ユーザが、リブ１８１を掴んで、リタードローラ６をリタードローラホルダ１９から取外し易くする。【選択図】図１２
2015218000.tif 000002
【特許請求の範囲】
【請求項１】
回転可能な第１の回転体と、
該第１の回転体と共に回転することでシートを挟持搬送可能な第２の回転体と、
前記第１の回転体を着脱可能に支持する回転体支持手段と、を備え、
前記回転体支持手段は、前記第１の回転体を着脱する場合に前記第１の回転体を取り出し方向に突出する第１の位置へ移動させ、前記シートを搬送する場合に前記第１の位置よりも取り出し方向への突出量が少ない第２の位置へ移動させるように回動する、
ことを特徴とするシート搬送装置。
【請求項２】
前記回転体支持手段に作用して、前記第１の回転体を前記第１の位置へ突出させる突出作動手段を備えた、
ことを特徴とする請求項１に記載のシート搬送装置。
【請求項３】
前記第１の回転体を前記回転体支持手段から着脱可能に保持する保持手段をさらに備え、
前記回転体支持手段は、前記シートの搬送方向と交差する方向に回動可能となっており、
前記保持手段は、前記回転体支持手段を回動させたとき、前記第１の回転体が前記回転体支持手段から脱落するのを防止する、
ことを特徴とする請求項１又は２に記載のシート搬送装置。
【請求項４】
前記保持手段は、前記第１の回転体と前記回転体支持手段との各々に設けられて、少なくとも一方が弾性変形して、互いに係合可能な１対の係合部を有している、
ことを特徴とする請求項３に記載のシート搬送装置。
【請求項５】
前記係合部は、前記第１の回転体を着脱する場合に把持される把持部を備え、前記把持部を把持することで前記係合が解除される、
ことを特徴とする請求項４に記載のシート搬送装置。
【請求項６】
回転可能な第１の回転体と、該第１の回転体と共に回転することでシートを挟持搬送可能な第２の回転体と、
前記第１の回転体を着脱可能に支持し、係合保持する回転体支持手段と、
前記第１の回転体を前記回転体支持手段から取り出す際に、把持操作に伴って係合保持を解除し、前記第１の回転体を前記支持手段から取り出すための把持部と、を備えた、
ことを特徴とするシート搬送装置。
【請求項７】
前記把持部は、把持操作に伴って弾性変形することで、前記回転体支持手段との係合が解除される、
ことを特徴とする請求項６に記載のシート搬送装置。
【請求項８】
前記回転体支持手段は、前記シートの搬送方向と交差する方向に回動可能であって、
前記把持部は、前記回転体支持手段を回動させたとき、前記第１の回転体が前記回転体支持手段から脱落するのを防止する、
ことを特徴とする請求項６又は７に記載のシート搬送装置。
【請求項９】
複数のシートを積載可能な積載手段と、
前記第１の回転体は、前記第２の回転体と共に回転することで前記積載手段に積載されたシートを１枚ずつに分離搬送可能な分離手段である、
ことを特徴とする請求項１乃至８のいずれか１項に記載のシート搬送装置。
【請求項１０】
請求項１乃至９のいずれか１項に記載のシート搬送装置と、
前記シート搬送装置によって搬送される原稿を読み取る画像読取部と、を備えた、
ことを特徴とする画像読取装置。
【請求項１１】
請求項１０に記載の画像読取装置と、
前記画像読取装置の画像情報によってシートに画像を形成する画像形成部と、を備えた、
ことを特徴とする画像形成装置。
【発明の詳細な説明】
【技術分野】
【０００１】
本発明は、シートを搬送するシート搬送装置と、このシート搬送装置を備えた画像読取装置と、この画像読取装置を備えた画像形成装置とに関する。
【背景技術】
【０００２】
従来、シートに画像を形成する複写機、プリンタなどの画像形成装置は、装置本体に原稿の画像を読み取る画像読取装置を備え、この画像読取装置が読み取った画像を複写するようになっている。この場合、画像読取装置は、原稿を搬送するシート搬送装置を備えている（特許文献１）。従来のシート搬送装置は、１対のローラの内、一方のローラが着脱可能となっており、ローラの交換が可能となっている。
【先行技術文献】
【特許文献】
【０００３】
【特許文献１】特開２００９−１１３９４０号公報
【発明の概要】
【発明が解決しようとする課題】
【０００４】
しかし、従来のシート搬送装置は、着脱可能なローラを交換する際にローラが奥まった位置にあるため掴みにくく、取り出しづらいという問題があった。
【０００５】
本発明は、１対のローラの内、一方のローラの交換を容易にできるようにしたシート搬送装置と、このシート搬送装置を備えた画像読取装置と、この画像読取装置を備えた画像形成装置とを提供することにある。
【課題を解決するための手段】
【０００６】
本発明のシート搬送装置は、回転可能な第１の回転体と、該第１の回転体と共に回転することでシートを挟持搬送可能な第２の回転体と、前記第１の回転体を着脱可能に支持する回転体支持手段と、を備え、前記回転体支持手段は、前記第１の回転体を着脱する場合に前記第１の回転体を取り出し方向に突出する第１の位置へ移動させ、前記シートを搬送する場合に前記第１の位置よりも取り出し方向への突出量が少ない第２の位置へ移動させるように回動する、ことを特徴としている。
【０００７】
本発明の画像読取装置は、上記のシート搬送装置と、前記シート搬送装置によって搬送される原稿を読み取る画像読取部と、を備えた、ことを特徴としている。
【０００８】
本発明の画像形成装置は、上記の画像読取装置と、前記画像読取装置の画像情報によってシートに画像を形成する画像形成部と、を備えた、ことを特徴としている。
【発明の効果】
【０００９】
本発明のシート搬送装置は、回転体支持手段が、第１の回転体を着脱する場合に第１の回転体を取り出し方向に突出する第１の位置へ移動させ、シートを搬送する場合に第１の位置よりも取り出し方向への突出量が少ない第２の位置へ移動させるようになっている。ユーザが回転体支持手段を容易に掴んで第１の回転体の交換を容易に行うことができる。また、カバーを使用する必要が無く、第１の回転体の交換を容易に行える。さらに、構造を簡単にすることができる。
【００１０】
本発明の画像読取装置は、構造が簡単なシート搬送装置を備えているので構成を簡素化することができる。
【００１１】
本発明の画像形成装置は、構造が簡単な画像読取装置を備えているので構成を簡素化することができる。
【図面の簡単な説明】
【００１２】
【図１】本発明の実施形態における画像形成装置のシート搬送方向に沿った断面概略図である。
【図２】自動原稿搬送部の主要部分の拡大図であり、原稿の搬送方向に沿った断面図である。
【図３】自動原稿搬送部の開閉カバーを図２の閉めた状態から開いた状態を示した図である。
【図４】自動原稿搬送部の分離部の斜視図である。
【図５】開閉カバーによって原稿案内パスを開いたときの図である。（Ａ）は、リタードローラを有するリタードローラユニットと、その周辺の斜視図である。（Ｂ）は、（Ａ）のＲ−Ｒ矢視断面図である。
【図６】開閉カバーによって原稿案内パスを開いたときの、リタードローラを有するリタードローラユニットと、その周辺の斜視図である。
【図７】リタードローラユニットの斜視図である。
【図８】図５、図６におけるリタードローラユニットを取り外したときのリタードローラホルダと、その周辺の図である。（Ａ）は、リタードローラホルダが交換ポジションにいるときの斜視図である。（Ｂ）は、リタードローラホルダの支持溝の斜視図である。
【図９】図８におけるリタードローラホルダを取り外したときの、搬送ガイドの図である。（Ａ）は、斜視図である。（Ｂ）は、阻止リブの斜視図である。
【図１０】リタードローラの把手の位置を示す図である。（Ａ）は、把手が搬送ポジションにいるときの図である。（Ｂ）は、把手が交換ポジションにいるときの図である。
【図１１】開閉カバーが閉じられた際のリタードローラホルダの突部と阻止リブとの係合動作を説明するための図である。
【図１２】把手が交換ポジションにいるときの図である。
【図１３】図１２の反対側から見た把手が交換ポジションにいるときの図である。
【発明を実施するための形態】
【００１３】
以下、本発明の実施形態の画像読取装置と、この画像読取装置を装置本体に備えた画像形成装置とを図に基づいて説明をする。
【００１４】
図１は、本発明の実施形態における画像形成装置１００のシート搬送方向に沿った断面概略図である。画像形成装置１００は、画像形成装置１００の装置本体４００と、装置本体４００の上部に設けられた画像読取装置３００とを備えている。
【００１５】
装置本体４００内のピックアップローラ４２０，４２１は、カセット４０４，４０５に収納されたシートＰをカセット４０４，４０５から送り出す。搬送ローラ対４２２は、カセットから送り出されたシートを、感光体ドラム４０２と転写器４０６との間に送り込む。
【００１６】
一方、レーザスキャナ４０１は、帯電器４２３で表面を帯電された感光体ドラム４０２にレーザを照射して、画像読取装置３００で原稿を読み取った画像情報に基づいた潜像を感光体ドラム４０２に形成する。その潜像は、トナー現像器４０３によって、トナー現像されて、トナー画像となる。転写器４０６は、感光体ドラム４０２と転写器４０６との間に送り込まれたシートに感光体ドラム４０２のトナー画像を転写して、そのシートを感光体ドラム４０２とで定着器４０７に送り込む。定着器４０７は、シートを加熱してトナー画像をシートに定着する。最後、排出ローラ対４０８がシートをトレイ４２４に排出する。
【００１７】
シートの両面に画像を形成する場合、定着器４０７から送り出されたシートは、切替部材４０９，４１７，４１３の案内と、搬送ローラ対４１１の搬送とによって反転パス４１２に送り込まれる。その後、シートは、搬送ローラ対４１１の逆転と切替部材４１３の案内とによって、反転パス４１２から帰還パス４１０に送り込まれる。この間にシートは、スイッチバック搬送されて、表裏反転される。シートは、帰還パス４１０を案内されて、再度、感光体ドラム４０２と転写器４０６との間に送り込まれて他方の面にトナー画像を形成される。シートは、定着器４０７においてトナー画像を定着されて、最後、トレイ４２４に排出される。
【００１８】
帯電器４２３、感光体ドラム４０２、トナー現像器４０３、及び転写器４０６等は、画像形成部４３０を構成している。
【００１９】
画像読取装置３００は、原稿の画像を読み取る画像読取部１と、この画像読取部１の上部に設けられて画像読取部１に原稿を送り込むシート搬送装置としての自動原稿搬送部２とを備えている。自動原稿搬送部２は、画像読取部１に開閉自在に設けられている。
【００２０】
図１において、画像読取部１は、自動原稿搬送部２と対向する部分に、固定読みガラス３０１と、流し読みガラス１０１と、掬い上げ部材３２２等を有している。また、画像読取部１は、内部に、走査部３０２と、信号処理部５０３と、走査部３０２を副走査方向Ｈ，Ｅに移動させるモータ３０８及びベルト３１２と、画像読取装置３００を制御する制御部５１０等を有している。
【００２１】
図２には、自動原稿搬送部２の主要部分の拡大図であり、原稿の搬送方向に沿った断面図である。図３は、自動原稿搬送部２の開閉カバー２２を図２の閉めた状態から開いた状態を示した図である。図４は、自動原稿搬送部２の分離部７の斜視図である。
【００２２】
先ず、画像読取装置３００による流し読み動作を説明する。
【００２３】
図１、図２、図３において、ユーザによって、原稿を積載可能な積載手段としての原稿トレイ３に原稿が載置される。自動原稿搬送部２のピックアップローラ４は、原稿Ｄを分離して搬送する互いに接触した分離搬送ローラ５及びリタードローラ６を有する分離部７に送り込む。分離部７は、原稿をレジストローラ対８に搬送する。しかし、分離部７には、ピックアップローラ４から重なった複数枚の原稿が搬送されてくることがある。この場合、分離部７は、リタードローラ６によって重なった原稿の搬送を阻止し、分離搬送ローラ５によって最上位の原稿を１枚だけ搬送する。
【００２４】
レジストローラ対８は、分離部７から送られてきた原稿の先端を受け止めて、原稿の斜行を補正し、読み取りタイミングに合わせて流し読みガラス１０１と白色ローラ１０との間に搬送する。読取タイミングは、レジストセンサ９が分離部７から送られてきた原稿の先端は検知することによって決まる。読取タイミングが決まると、予め、流し読みガラス１０１の下に待機している走査部３０２によって原稿の画像が読み取られる。そして、リードローラ対１１，１２が、原稿を搬送して、流し読みガラス１０１の上を通過させ、最後、原稿排出ローラ対１３が原稿を排出原稿トレイ１４に排出する。ピックアップローラ４から原稿排出ローラ対１３までは、原稿案内パス３１が形成されており、原稿は、原稿案内パス３１の案内によって搬送される。
【００２５】
原稿の両面に画像が形成されている場合、原稿排出ローラ対１３は、排出原稿トレイ１４に原稿を排出しないで、原稿の後端まで搬送すると、原稿を逆送させ、切替部材３３の案内によって、スイッチバックパス３２に原稿を搬送する。これによって、原稿は、スイッチバック搬送される間に裏返しに（反転）させられて、原稿案内パス３１を搬送されて、原稿排出ローラ対１３まで搬送される。この間に、走査部３０２が原稿の他方の面の画像を読み取る。
【００２６】
原稿は、先のスイッチバック搬送によって裏返しになっているため、そのまま、排出原稿トレイ１４に排出されると、原稿の頁順が狂うことになる。このため、原稿は、再度、スイッチバック搬送されてから、排出原稿トレイ１４に排出される。このとき、走査部３０２は、原稿の画像を読み取らない。
【００２７】
以上のように、停止している走査部３０２の上を、原稿を通過させて、画像を読み取る方法を「流し読み」とする。
【００２８】
次に、画像読取装置３００による固定読み動作を説明する。
【００２９】
ユーザが、自動原稿搬送部２の手前側を持ち上げて、固定読みガラス３０１の上面を開き、その上面に原稿を載置し、そして、自動原稿搬送部２を元の位置に戻す。この結果、自動原稿搬送部２は、原稿を固定読みガラス３０１に押し付けて、原稿が固定読みガラス３０１から浮き上がらないようにする。その後、走査部３０２が副走査方向Ｈに移動しながら、原稿の画像を読み取る。原稿の画像読み終わった走査部３０２は、副走査方向Ｅを移動して不図示の待機位置に戻る。
【００３０】
以上のように、原稿を固定し、走査部３０２が移動して、原稿を読み取る方法を「固定読み」とする。
【００３１】
画像読取装置３００は、原稿を流し読み、あるいは固定読みによって読み取った画像情報を信号処理部５０３で光情報を電気信号に変換して、レーザスキャナ４０１に送信する。画像形成装置１００の装置本体４００は、レーザスキャナ４０１で受信した画像情報に基づいて、前述したように、シートに原稿の画像を複写する。
【００３２】
なお、画像形成装置１００は、他の画像形成装置１００、ファクシミリ、パソコン等の外部機器からの画像情報をレーザスキャナ４０１で受信してシートに画像を形成することもできるようになっている。
【００３３】
ところで、自動原稿搬送部２は、内部のメンテナンスを行われることがある。また、原稿案内パス３１に原稿が詰まることがある。さらに、リタードローラ６の交換が行われることがある。このようなことから、メンテナンス、詰まった原稿の除去、リタードローラ６の交換等が行えるように、図３に示すように、原稿案内パス３１の上流側部分３１Ａは、開閉カバー２２が開かれることによって、開かれるようになっている。開閉カバー２２は、自動原稿搬送部２の装置本体２Ａに設けられた回転支持軸２３によって、原稿案内パス３１の上流側部分３１Ａを開閉するようになっている。原稿案内パス３１の上流側部分３１Ａは、互いに接近離間可能な、下側案内部３１Ａａと、上側案内部３１Ａｂとで形成されている。
【００３４】
図３に示すように、開閉カバー２２には、上側案内部３１Ａｂが形成されている。開閉カバー２２には、ピックアップローラ４と、分離搬送ローラ５と、レジストローラ対８の一方のローラ等が、上側案内部３１Ａｂの案内面から突出して設けられている。図３に示すように開閉カバー２２によって原稿案内パス３１を開くと、原稿案内パス３１に詰まった原稿を除去することができる。
【００３５】
次に、自動原稿搬送部２の内部のメンテナンスや、リタードローラ６の交換を行える構造を説明する。図５、図６は、開閉カバー２２によって原稿案内パス３１を開いたときの、リタードローラ６を有するリタードローラユニット１５と、その周辺の斜視図である。図７は、リタードローラユニット１５の斜視図である。図８は、図５、図６におけるリタードローラユニット１５を取り外したときのリタードローラホルダ１９と、その周辺の斜視図である。図９は、図８におけるリタードローラホルダ１９を取り外したときの、搬送ガイド２１の斜視図である。
【００３６】
自動原稿搬送部２において、ピックアップローラ４、リタードローラ６等が設けられた原稿を受け入れる部分２Ｂ（図２）を説明する。自動原稿搬送部２の原稿受け入れ部分２Ｂには、ピックアップローラ４と、原稿案内パス３１の入口部分と、分離部７と、リタードローラユニット１５と、リタードローラホルダ１９と、圧縮コイルばね２０と、搬送ガイド２１等が設けられている。
【００３７】
図２乃至図４において、分離部７は、原稿トレイ３に載置された原稿Ｄを分離して搬送する第２の回転体としての分離搬送ローラ５及び第１の回転体、分離手段としてのリタードローラ６を有している。すなわち、分離搬送ローラ５とリタードローラ６は、回転可能、原稿を挟持搬送可能、原稿を分離搬送可能である。
【００３８】
図７において、リタードローラ６は、トルクリミッタ１７とともに、リタードローラユニット１５として、ユニット化されて、交換され易くなっている。リタードローラユニット１５は、リタードローラ６と、リタードローラ６を回転自在に支持するリタードローラ軸１６と、リタードローラ軸１６に設けられたトルクリミッタ１７と、リタードローラ軸１６の一端に固定された把手１８とで構成されている。トルクリミッタ１７は、不図示の２重円筒状に形成されており、外側の円筒がリタードローラ６に接続され、内側の円筒がリタードローラ軸１６に固定されて、リタードローラ６に所定の回転負荷トルクを与えるようになっている。把手１８は、リタードローラユニット１５を取り扱う際に、ユーザによって掴まれる部分であり、リタードローラユニット１５を取り扱い易くするために設けられている。
【００３９】
図２、図３において、搬送ガイド２１は、原稿排出ローラ対１３の一方のローラの回転軸１３ａに対して回動自在に設けられている。また、図５、図８、図９において、搬送ガイド２１には、リタードローラホルダ１９の１対の支持軸１９２を回動自在に支持する１対の軸受凹部２１３が形成されている。さらに、図９において、搬送ガイド２１には、リタードローラホルダ１９の突出量を規制する１対の引っ掛かり部材２１１と、１本の阻止リブ２１２とが上向きに突設されている。引っ掛かり部材２１１は、矢印Ｊ，Ｑ方向に撓むようになっている。
【００４０】
図５、図６、図８において、リタードローラホルダ１９は、１対の支持軸１９２が、搬送ガイド２１の１対の軸受凹部２１３に回動自在に支持されて、図３において搬送ガイド２１の上面２１ａに対して交差する矢印Ｃ，Ｖ方向に回動可能になっている。リタードローラホルダ１９には、リタードローラユニット１５が着脱自在（着脱可能）に装着されるようになっている。このため、図８に示すように、リタードローラホルダ１９には、リタードローラ軸１６を支持する支持孔１９４と、Ｕ字状の支持溝１９５が形成されている。
【００４１】
また、図２、図３に示すように、搬送ガイド２１とリタードローラホルダ１９との間には、圧縮コイルばね２０が設けられている。図９に示すように、搬送ガイド２１には、圧縮コイルばね２０が嵌合する座２０ａが突設されている。圧縮コイルばね２０は、リタードローラホルダ１９を搬送ガイド２１から離間させる矢印Ｆ方向に押圧可能であり、リタードローラ６を分離搬送ローラ５に押圧するようになっている。なお、圧縮コイルばねの代わりに板ばね等を使用してもよい。
【００４２】
次に、リタードローラ６の交換時に、リタードローラユニット１５をリタードローラホルダ１９に装着する手順を説明する。リタードローラホルダ１９は、開閉カバー２２が開かれると、図８のように、圧縮コイルばね２０に押し上げられて、図５（Ｂ）に示すように、搬送ガイド２１の引っ掛かり部材２１１のフック２１１ａの下面２１１ｂに受け止められている。ここで、引っ掛かり部材２１１は、圧縮コイルばね２０の押し上げ量を規制することで、リタードローラホルダ１９の突出量が規制されている。
【００４３】
リタードローラユニット１５の装着時は、図８に示すリタードローラホルダ１９の支持孔１９４にリタードローラユニット１５のリタードローラ軸１６の一端部１６ａ（図７）を挿入し、支持溝１９５にリタードローラ軸１６の中間部１６ｂを押し込む。リタードローラユニット１５の把手１８には、図７に示すように、弾性変形可能なリブ１８１が形成されている。リブ１８１は、リタードローラ軸１６の端部からトルクリミッタ１７側に向けて、リタードローラ軸１６と平行に延びて形成されている。リブ１８１には、斜面１８１ｂ、先端面１８１ｃ、側端面１８１ｄが形成されている。斜面１８１ｂは、側端面１８１ｄからリタードローラ６の回転方向に傾斜して形成されている。一方、リタードローラホルダ１９には、図８に示すように、リブ１８１が当接する、支持溝１９５側に延びた舌片１９３が突設されている。舌片１９３の先端部の上側に、斜面１９３ａが形成されている。また、リタードローラホルダ１９の側面には、外側に傾斜した斜面１９ａと、斜面１９ａの下側に続いた側壁１９ｂとが形成されている。
【００４４】
リタードローラユニット１５を装着する際、リタードローラユニット１５をリタードローラホルダ１９側に押圧する。すると、まず、リブ１８１の先端面１８１ｃがリタードローラホルダ１９の斜面１９ａに当接し、リブ１８１の斜面１８１ｂがリタードローラホルダ１９の斜面１９３ａに当接する。そして、図５（Ａ）に示すように、リブ１８１は、矢印Ｋ方向に押されながら矢印Ｍ方向に弾性変形する。その後、なおも、リブ１８１は、押圧されて、斜面１９ａ，１９３ａを通過して、舌片１９３の下面１９３ｂに位置し、弾性により元の形状に戻って、舌片１９３の下面１９３ｂに入り込み、舌片１９３によって浮き上がりを防止される。
【００４５】
以上のようにして、リタードローラユニット１５はリタードローラホルダ１９に装着される。しかし、ユーザがリタードローラユニット１５をリタードローラホルダ１９に装着するとき、リタードローラユニット１５がリタードローラホルダ１９に確実に装着されていないことがある。
【００４６】
まず、リタードローラホルダ１９へリタードローラユニット１５が装着され、開閉カバー２２が閉じられる場合の突部１９１と阻止リブ２１２との動作を説明する。
【００４７】
開閉カバー２２が閉じられるとともに、リタードローラユニット１５がリタードローラホルダ１９側に押圧される。そして、リタードローラホルダ１９の側部に横向きに突設された突部１９１が、搬送ガイド２１に上向きに突設された弾性変形可能な阻止リブ２１２の下側斜面２１２ｃの下に潜り込む。
【００４８】
図８（Ａ）に示すように、突部１９１は、支持溝１９５の近くに、支持溝１９５の溝に沿った向きに突設されている。そして、図８（Ｂ）に示すように、突部１９１は、下側斜面１９１ａと上側斜面１９１ｂとで形成されている。下側斜面１９１ａは、上側斜面１９１ｂより傾斜が急である。図９に示すように、阻止リブ２１２にも、突部２１２ａが形成されている。突部２１２ａは、リタードローラホルダ１９の突部１９１と対向する位置に形成されている。突部２１２ａは、上側斜面２１２ｂと下側斜面２１２ｃが形成されている。上側斜面２１２ｂは、下側斜面２１２ｃより傾斜が急である。
【００４９】
次に、図１１を用いて開閉カバー２２が閉じられる際のリタードローラホルダ１９の突部１９１と、阻止リブ２１２の状態を詳細に説明をする。図１１は、（Ａ）〜（Ｄ）の順に、開閉カバー２２が閉じられる際の突部１９１近傍の概略断面図である。
【００５０】
開閉カバー２２が閉じられるとともに、図１１（Ａ）のように、まず、リタードローラホルダ１９の突部１９１の下側斜面１９１ａが阻止リブ２１２の上側斜面２１２ｂと当接する。その後、図１１（Ｂ）、（Ｃ）のように、開閉カバー２２の閉動作に伴ってリタードローラホルダ１９の突部１９１が阻止リブ２１２の突部２１２ａに当接しながら押し下げられる。そして、開閉カバー２２が綴じきったとき、突部１９１が（Ｄ）のように阻止リブ２１２の下側斜面２１２ｃの下方に潜り込む。このとき、リタードローラ６は、分離搬送ローラ５に当接しており、ピックアップローラ４によって給送された原稿Ｄを分離して搬送可能な状態になっている。
【００５１】
次に、リタードローラユニット１５がリタードローラホルダ１９へ確実に装着されていない場合に開閉カバー２２が閉じられる際の動作を説明する。
【００５２】
リタードローラユニット１５が確実に装着されていない状態で開閉カバー２２が閉じられる場合についても、開閉カバー２２が閉じられることで、リタードローラユニット１５がリタードローラホルダ１９側へ押し付けられる。
【００５３】
リタードローラユニット１５をリタードローラホルダ１９側に押圧しているとき、図１１（Ａ）のように、リタードローラホルダ１９の突部１９１の下側斜面１９１ａが、搬送ガイド２１の阻止リブ２１２の上側斜面２１２ｂに当接している。ここで、下側斜面１９１ａと上側斜面２１２ｂとの斜面は、傾斜が急であるため、突部１９１は突部２１２ａの下側に入り込みにくくなっている。また、搬送ガイド２１とリタードローラホルダ１９との間には、圧縮コイルばね２０が設けられている。このため、リタードローラホルダ１９は、下側斜面１９１ａと上側斜面２１２ｂとの係合負荷と、圧縮コイルばね２０の弾力とに抗してリタードローラユニット１５が強く押圧されなければ、突部１９１が下側斜面２１２ｃの下方に入り込むことができない。
【００５４】
ここで、開閉カバー２２が閉じられる際、リタードローラユニット１５のリタードローラ６は、開閉カバー２２側に設けられた分離搬送ローラ５に押圧されることとなる。
【００５５】
リタードローラホルダ１９の突部１９１が阻止リブ２１２の下側斜面２１２ｃの下方に入り込むほどにリタードローラユニット１５が開閉カバー２２の閉動作に伴って強く押圧される。そして、リタードローラホルダ１９の突部１９１が阻止リブ２１２の突部２１２ａの下側に入り込む前に、リタードローラユニット１５のリブ１８１が、リタードローラホルダ１９の舌片１９３の下面１９３ｂに入り込む。そのため、リタードローラユニット１５がリタードローラホルダ１９へ確実に装着されていない場合においても、開閉カバー２２が閉じられることで、リタードローラユニット１５をリタードローラホルダ１９に確実に装着することができる。なお、阻止リブ２１２は、リブ１８１よりも撓みにくくなっている。
【００５６】
また、このとき、分離搬送ローラ５がリタードローラ６を押圧することでリブ１８１が斜面１９ａ、１９３ａを通過して、舌片１９３の下面１９３ｂに入り込み、舌片１９３によってリタードローラユニット１５の浮き上がりが防止される。
【００５７】
このようにして、開閉カバー２２を矢印Ｂ方向に回転させて、原稿案内パス３１を閉める（開閉カバー２２を閉じる）と、分離搬送ローラ５がリタードローラ６を押圧する。すると、分離搬送ローラ５は、リタードローラ６、リタードローラユニット１５、リタードローラホルダ１９を介して、圧縮コイルばね２０を圧縮することになる。この結果、リタードローラ６は、圧縮コイルばね２０の反力によって分離搬送ローラ５に圧接されて、原稿が重なって搬送されてきたとき、重送原稿を分離して、分離搬送ローラ５によって原稿を１枚搬送できるようになる。
【００５８】
また、自動原稿搬送部２内のメンテナンスを行う場合、図３に示すように、開閉カバー２２を矢印Ａ方向に開き、さらに、搬送ガイド２１を原稿排出ローラ対１３の回転軸１３ａを中心に矢印Ｃ方向に開くことがある。このとき、リタードローラホルダ１９に装着されているリタードローラユニット１５も搬送ガイド２１と一体に矢印Ｃ方向に回転する。しかし、リタードローラユニット１５は、リブ１８１が、舌片１９３の下面１９３ｂに入り込んでいる。このため、リタードローラユニット１５は脱落するのを防止されて、搬送ガイド２１と一体に矢印Ｃ方向に回転する。
【００５９】
したがって、把持部としてのリブ１８１と舌片１９３は、回転体支持手段としてのリタードローラホルダ１９からのリタードローラ６の脱落（係合の解除）を防止する（係合保持する）、係合可能な１対の係合部であり保持手段を構成している。
【００６０】
さらに、自動原稿搬送部２は、リタードローラ６を交換するとき、リタードローラユニット１５の把手１８をユーザが掴み易く（把持操作をし易く）なっており、リタードローラ６の交換を容易に行えるようになっている。
【００６１】
次に、リタードローラ６の交換を容易に行えるようになっている構造を説明する。図２において、開閉カバー２２は、原稿案内パス３１を閉めているとき、不図示のロック機構によって装置本体２Ａにロックされている。そして、開閉カバー２２に設けられた分離搬送ローラ５がリタードローラ６を押圧している。一方、リタードローラ６は、リタードローラユニット１５、リタードローラホルダ１９を介して突出作動手段としての圧縮コイルばね２０の押圧力を受けている。このため、分離搬送ローラ５は、圧縮コイルばね２０に抗して、リタードローラ６、リタードローラユニット１５、リタードローラホルダ１９を、図３の矢印Ｖ方向に、搬送ガイド２１に押し込んでいることになる。この結果、図１０（Ａ）に示すように、リタードローラホルダ１９の上面１９ｃと、搬送ガイド２１の上面２１ａとが同一面になり、原稿案内パス３１の上流側部分３１Ａの一部分を形成していることになる。このとき、リタードローラ６は、分離搬送ローラ５とで原稿を搬送するため、リタードローラホルダ１９の上面１９ｃに突出している。しかし、リタードローラユニット１５の把手１８は、リタードローラホルダ１９の上面１９ｃから突出していない。なお、リタードローラホルダ１９が、搬送ガイド２１に押し込まれている場合においては、リタードローラホルダ１９の上面１９ｃと、搬送ガイド２１の上面２１ａは、原稿案内パス３１の下側案内部３１Ａａの一部分を形成している。
【００６２】
このように、把手１８が搬送ガイド２１の上面２１ａから突出しないで、リタードローラ６が搬送ガイド２１の上面２１ａから突出しているときのリタードローラ６とリタードローラユニット１５との位置を搬送ポジションとする。搬送ポジションは、第２の位置である。
【００６３】
開閉カバー２２を図３において矢印Ａ方向に回転させて、原稿案内パス３１を開くと、開閉カバー２２に設けられた分離搬送ローラ５がリタードローラ６から離れる。すると、リタードローラユニット１５が、リタードローラホルダ１９と一体に圧縮コイルばね２０に、図３の矢印Ｃ方向に押圧されて（作用されて）、図１０（Ｂ）、図１２、図１３のように、リタードローラホルダが搬送ガイドの上面２１ａより上方に突出する。これによって、リタードローラユニットも搬送ガイド２１の上面２１ａより上方に突出する。このときの、リタードローラ６、リタードローラユニット１５、リタードローラホルダ１９の位置を交換ポジション（第１の位置）とする。
【００６４】
交換ポジションに位置しているときのリタードローラホルダ１９は、図５（Ｂ）、図８に示すように、圧縮コイルばね２０によって、矢印Ｆ方向に押し上げられて搬送ガイド２１の引っ掛かり部材２１１のフック２１１ａの下面２１１ｂに受け止められている。なお、リタードローラホルダ１９が搬送ポジションにいるときのリタードローラホルダ１９の位置は、図５（Ｂ）の破線の位置である。このため、リタードローラ６、リタードローラユニット１５、リタードローラホルダ１９は、搬送ポジションと交換ポジションとの間を距離Ｌだけ上下動するようになっている。
【００６５】
リタードローラ６が交換ポジションに位置しているとき、リタードローラホルダ１９の把手１８とリブ１８１とが搬送ガイド２１の上面２１ａより上方に突出していることになり、ユーザが把手１８をつかみ易くなる。この結果、ユーザが、リタードローラユニット１５をリタードローラホルダ１９から容易に取り外してリタードローラ６の交換を容易に行うことができる。
【００６６】
なお、リタードローラユニット１５とリタードローラホルダ１９は、一体に搬送ポジションと交換ポジションとの間を上下動するため、互いの相対位置に変化が生じることがない。このため、リタードローラホルダ１９が交換ポジションにいても、リタードローラユニット１５は、リタードローラホルダ１９より上に突出することがなく、搬送ガイド２１の上面２１ａより上方に突出する。
【００６７】
以上説明したように、自動原稿搬送部２は、圧縮コイルばね２０によってリブ１８１を搬送ガイド２１の上面２１ａから突出させるようになっているので、ユーザがリブ１８１を容易に掴んでリタードローラ６の交換を容易に行うことができる。また、自動原稿搬送部２は、従来使用していたカバーを使用する必要が無く、簡単にリタードローラ６の交換を容易に行えるとともに、構造を簡単にすることができる。
【００６８】
また、画像読取装置３００は、構造が簡単な自動原稿搬送部２を備えているので構成を簡素化することができる。
【００６９】
さらに、画像形成装置１００は、構造が簡単な画像読取装置３００を備えているので構成を簡素化することができる。
【符号の説明】
【００７０】
１：画像読取部、２：自動原稿搬送部（シート搬送装置）、２Ａ：自動原稿搬送部の装置本体、２Ｂ：原稿を受け入れる部分、３：原稿トレイ（積載手段）、４：ピックアップローラ、５：分離搬送ローラ（第２の回転体、分離手段）、６：リタードローラ（第１の回転体）、７：分離部、１５：リタードローラユニット、１６：リタードローラ軸、１８：把手、１８１：リブ（１対の係合部、保持手段、把持部）、１９：リタードローラホルダ（回転体支持手段）、１９ｃ：リタードローラホルダの上面、１９１：突部、１９３：舌片（１対の係合部、保持手段）、２０：圧縮コイルばね（突出作動手段）、２１：搬送ガイド、２１ａ：搬送ガイドの上面、２２：開閉カバー、３１：原稿案内パス、３１Ａ：上流側部分、３１Ａａ：下側案内部、３１Ａｂ：上側案内部、１００：画像形成装置、３００：画像読取装置、Ｐ：シート、Ｄ：原稿。
【図１】
2015218000.tif 000003
【図２】
2015218000.tif 000004
【図３】
2015218000.tif 000005
【図４】
2015218000.tif 000006
【図５】
2015218000.tif 000007
【図６】
2015218000.tif 000008
【図７】
2015218000.tif 000009
【図８】
2015218000.tif 000010
【図９】
2015218000.tif 000011
【図１０】
2015218000.tif 000012
【図１１】
2015218000.tif 000013
【図１２】
2015218000.tif 000014
【図１３】
2015218000.tif 000015